(57)【要約】【課題】簡単な操作で情報の送受信を行うことができる情報処理システム及び情報処理装置を提供する。【解決手段】情報処理システムは、近距離通信により双方向に情報の送受信を行うことができる携帯端末装置及び情報処理装置を備える。携帯端末装置は、自身の姿勢又は動きに関する物理量を検出する検出部と、検出部で検出して得られた検出情報を前記情報処理装置へ送信する送信部とを備え、情報処理装置は、検出情報を受信する受信部と、受信部で受信した検出情報に応じて、携帯端末装置へ送信する送信情報又は携帯端末装置から受信する受信情報を特定する特定部とを備える。【選択図】図１
2015104080.tif 000002
【特許請求の範囲】
【請求項１】
近距離通信により双方向に情報の送受信を行うことができる携帯端末装置及び情報処理装置を備える情報処理システムにおいて、
前記携帯端末装置は、
自身の姿勢又は動きに関する物理量を検出する検出部と、
該検出部で検出して得られた検出情報を前記情報処理装置へ送信する送信部と
を備え、
前記情報処理装置は、
前記検出情報を受信する受信部と、
該受信部で受信した検出情報に応じて、前記携帯端末装置へ送信する送信情報又は該携帯端末装置から受信する受信情報を特定する特定部と
を備えることを特徴とする情報処理システム。
【請求項２】
前記情報処理装置は、
複数の情報にそれぞれ対応する複数の選択情報を表示する表示部と、
前記検出情報に応じて前記表示部に表示された前記複数の選択情報の中から一の選択情報を選択する選択部と
を備え、
前記特定部は、
前記選択部で選択した選択情報に対応する情報を前記送信情報又は受信情報として特定するようにしてあることを特徴とする請求項１に記載の情報処理システム。
【請求項３】
前記情報処理装置は、
所要の処理に必要な情報の有無を判定する情報判定部と、
該情報判定部で必要な情報がないと判定した場合、前記選択情報を特定するための特定情報を前記携帯端末装置へ要求する要求部と
を備え、
前記携帯端末装置は、
前記要求があった場合、前記特定情報を前記情報処理装置へ送信するようにしてあり、
前記情報処理装置は、
さらに、前記携帯端末装置が送信した前記特定情報に基づいて前記表示部に選択情報を表示するようにしてあり、
前記特定部は、
前記選択部で選択した選択情報に対応する情報を前記受信情報として特定するようにしてあることを特徴とする請求項２に記載の情報処理システム。
【請求項４】
前記情報処理装置は、
前記情報判定部で必要な情報があると判定した場合、前記表示部に選択情報を表示するようにしてあり、
前記特定部は、
前記選択部で選択した選択情報に対応する情報を前記送信情報として特定するようにしてあることを特徴とする請求項３に記載の情報処理システム。
【請求項５】
前記情報処理装置は、
前記受信部で受信した検出情報に応じて前記送信情報の種別を特定する種別特定部を備えることを特徴とする請求項１に記載の情報処理システム。
【請求項６】
前記情報処理装置は、
表示画面上で前記携帯端末装置が接触した位置を検出可能な表示部と、
前記接触した位置に送信すべき情報が表示されているか否かを判定する表示判定部と
を備え、
前記種別特定部は、
前記表示判定部で情報が表示されていると判定した場合、前記種別を特定するようにしてあることを特徴とする請求項５に記載の情報処理システム。
【請求項７】
前記情報処理装置は、
前記受信部で受信した検出情報に応じて前記送信情報を送信するか前記受信情報を受信するかを切り替える切替部を備えることを特徴とする請求項１に記載の情報処理システム。
【請求項８】
前記情報処理装置は、
表示画面上で前記携帯端末装置が接触した位置を検出可能な表示部と、
前記切替部で送信情報を送信すべく切り替えた場合、前記携帯端末装置が接触した位置に表示した情報を前記送信情報として送信すべく制御する制御部と
を備えることを特徴とする請求項７に記載の情報処理システム。
【請求項９】
前記制御部は、
前記切替部で受信情報を受信すべく切り替えた場合、前記携帯端末装置が接触した位置に前記受信情報を表示すべく制御するようにしてあることを特徴とする請求項８に記載の情報処理システム。
【請求項１０】
近距離通信により携帯端末装置との間で双方向の情報の送受信を行うことができる情報処理装置において、
前記携帯端末装置の姿勢又は動きに関する検出情報を受信する受信部と、
該受信部で受信した検出情報に応じて、前記携帯端末装置へ送信する送信情報又は該携帯端末装置から受信する受信情報を特定する特定部と
を備えることを特徴とする情報処理装置。
【発明の詳細な説明】
【技術分野】
【０００１】
本発明は、近距離通信により双方向に情報の送受信を行うことができる携帯端末装置及び情報処理装置を備える情報処理システム並びに前記情報処理装置に関する。
【背景技術】
【０００２】
携帯電話若しくはタブレット端末などの携帯端末装置、あるいはパーソナルコンピュータ若しくはディスプレイ装置などの情報処理装置などの装置の間においては、データの授受が頻繁に行われる。例えば、携帯端末装置に記憶したデータを情報処理装置に移動させる場合、携帯端末装置の表示画面上で情報処理装置を表示させ、記憶したデータをカーソルで指定するとともに、データの移動先としての情報処理装置をカーソルで指定することにより、データの移動処理が実行される。また、携帯端末装置のブラウザで参照していた情報を情報処理装置でも表示させる場合、情報処理装置のキーボードなどを操作して情報元のＵＲＬなどを入力して情報を参照している。
【０００３】
また、ディスプレイに表示されている異なるフォルダ間でデータを移動させる場合、一方のフォルダをペンで指定するとともにペンのスイッチを操作してデータを吸い上げ、その後他のフォルダをペンで指定するとともにペンのスイッチを操作してデータをはき出すことにより、フォルダ間でデータを移動させる情報処理装置が開示されている（特許文献１参照）。
【先行技術文献】
【特許文献】
【０００４】
【特許文献１】特開２００４−５４７５３号公報
【発明の概要】
【発明が解決しようとする課題】
【０００５】
しかし、特許文献１又は従来の装置にあっては、データの移動又は複写などを行う場合には、カーソルを移動させる操作、文字を入力する操作、あるいはスイッチ等を入切する操作などを行う必要があり、ユーザにとっては操作が煩雑であった。
【０００６】
本発明は斯かる事情に鑑みてなされたものであり、簡単な操作で情報の送受信を行うことができる情報処理システム及び該情報処理システムを構成する情報処理装置を提供することを目的とする。
【課題を解決するための手段】
【０００７】
本発明に係る情報処理システムは、近距離通信により双方向に情報の送受信を行うことができる携帯端末装置及び情報処理装置を備える情報処理システムにおいて、前記携帯端末装置は、自身の姿勢又は動きに関する物理量を検出する検出部と、該検出部で検出して得られた検出情報を前記情報処理装置へ送信する送信部とを備え、前記情報処理装置は、前記検出情報を受信する受信部と、該受信部で受信した検出情報に応じて、前記携帯端末装置へ送信する送信情報又は該携帯端末装置から受信する受信情報を特定する特定部とを備えることを特徴とする。
【０００８】
本発明に係る情報処理システムは、前記情報処理装置は、複数の情報にそれぞれ対応する複数の選択情報を表示する表示部と、前記検出情報に応じて前記表示部に表示された前記複数の選択情報の中から一の選択情報を選択する選択部とを備え、前記特定部は、前記選択部で選択した選択情報に対応する情報を前記送信情報又は受信情報として特定するようにしてあることを特徴とする。
【０００９】
本発明に係る情報処理システムは、前記情報処理装置は、所要の処理に必要な情報の有無を判定する情報判定部と、該情報判定部で必要な情報がないと判定した場合、前記選択情報を特定するための特定情報を前記携帯端末装置へ要求する要求部とを備え、前記携帯端末装置は、前記要求があった場合、前記特定情報を前記情報処理装置へ送信するようにしてあり、前記情報処理装置は、さらに、前記携帯端末装置が送信した前記特定情報に基づいて前記表示部に選択情報を表示するようにしてあり、前記特定部は、前記選択部で選択した選択情報に対応する情報を前記受信情報として特定するようにしてあることを特徴とする。
【００１０】
本発明に係る情報処理システムは、前記情報処理装置は、前記情報判定部で必要な情報があると判定した場合、前記表示部に選択情報を表示するようにしてあり、前記特定部は、前記選択部で選択した選択情報に対応する情報を前記送信情報として特定するようにしてあることを特徴とする。
【００１１】
本発明に係る情報処理システムは、前記情報処理装置は、前記受信部で受信した検出情報に応じて前記送信情報の種別を特定する種別特定部を備えることを特徴とする。
【００１２】
本発明に係る情報処理システムは、前記情報処理装置は、表示画面上で前記携帯端末装置が接触した位置を検出可能な表示部と、前記接触した位置に送信すべき情報が表示されているか否かを判定する表示判定部とを備え、前記種別特定部は、前記表示判定部で情報が表示されていると判定した場合、前記種別を特定するようにしてあることを特徴とする。
【００１３】
本発明に係る情報処理システムは、前記情報処理装置は、前記受信部で受信した検出情報に応じて前記送信情報を送信するか前記受信情報を受信するかを切り替える切替部を備えることを特徴とする。
【００１４】
本発明に係る情報処理システムは、前記情報処理装置は、表示画面上で前記携帯端末装置が接触した位置を検出可能な表示部と、前記切替部で送信情報を送信すべく切り替えた場合、前記携帯端末装置が接触した位置に表示した情報を前記送信情報として送信すべく制御する制御部とを備えることを特徴とする。
【００１５】
本発明に係る情報処理システムは、前記制御部は、前記切替部で受信情報を受信すべく切り替えた場合、前記携帯端末装置が接触した位置に前記受信情報を表示すべく制御するようにしてあることを特徴とする。
【００１６】
本発明に係る情報処理装置は、近距離通信により携帯端末装置との間で双方向の情報の送受信を行うことができる情報処理装置において、前記携帯端末装置の姿勢又は動きに関する検出情報を受信する受信部と、該受信部で受信した検出情報に応じて、前記携帯端末装置へ送信する送信情報又は該携帯端末装置から受信する受信情報を特定する特定部とを備えることを特徴とする。
【発明の効果】
【００１７】
本発明によれば、簡単な操作で情報の送受信を行うことができる。
【図面の簡単な説明】
【００１８】
【図１】第１実施形態の情報処理システムの構成の一例を示すブロック図である。
【図２】検出情報の一例を示す説明図である。
【図３】保有情報の一例を示す説明図である。
【図４】情報の保有場所の一例を示す説明図である。
【図５】選択情報を含むメニュー情報の表示の第１実施例を示す説明図である。
【図６】選択情報を含むメニュー情報の表示の第２実施例を示す説明図である。
【図７】第１実施形態の情報処理装置の処理手順の一例を示すフローチャートである。
【図８】第１実施形態の情報処理装置の処理手順の一例を示すフローチャートである。
【図９】第１実施形態の携帯端末装置の処理手順の一例を示すフローチャートである。
【図１０】第１実施形態の携帯端末装置の処理手順の一例を示すフローチャートである。
【図１１】第２実施形態の情報処理装置の構成の一例を示すブロック図である。
【図１２】第２実施形態の情報処理装置の処理手順の一例を示すフローチャートである。
【図１３】第２実施形態の情報処理装置の処理手順の一例を示すフローチャートである。
【図１４】第２実施形態の携帯端末装置の処理手順の一例を示すフローチャートである。
【図１５】第３実施形態の情報処理装置の構成の一例を示すブロック図である。
【図１６】第３実施形態の情報処理装置の処理手順の一例を示すフローチャートである。
【図１７】第３実施形態の情報処理装置の処理手順の一例を示すフローチャートである。
【図１８】第３実施形態の携帯端末装置の処理手順の一例を示すフローチャートである。
【図１９】第３実施形態の情報処理システムでの情報の授受の一例を示す模式図である。
【発明を実施するための形態】
【００１９】
（第１実施形態）
以下、本発明を実施の形態を示す図面に基づいて説明する。図１は第１実施形態の情報処理システムの構成の一例を示すブロック図である。図１に示すように、第１実施形態の情報処理システムは、携帯端末装置１００及び情報処理装置２００などを備える。携帯端末装置１００は、例えば、携帯電話機、スマートフォン、タブレット端末など、ユーザが手に持って所要の操作を行うことができるものである。また、情報処理装置２００は、例えば、パーソナルコンピュータ、ディスプレイなどの表示装置などである。携帯端末装置１００と情報処理装置２００との間は、ＮＦＣ（Near field communication）などの非接触通信、ブルートゥース（登録商標）などの近距離無線通信により、双方向の情報の送受信を行うことができる。なお、無線通信方式は、これらに限定されるものではない。
【００２０】
携帯端末装置１００は、制御部１１、センサ部１２、記憶部１３、通信部１４、表示部１５などを備える。情報処理装置２００は、制御部２１、通信部２２、特定部２３、記憶部２４、表示部２５、選択部２６などを備える。
【００２１】
制御部１１は、ＣＰＵ等で構成され、携帯端末装置１００全体を制御する。
【００２２】
センサ部１２は、検出部としての機能を有する。ユーザが携帯端末装置１００を手に持って携帯端末装置１００の姿勢を変え、あるいは、動かした場合、センサ部１２は、携帯端末装置１００の姿勢又は動きに関する物理量を検出する。センサ部１２は、例えば、傾きセンサ、加速度センサ、地磁気センサなどを含み、携帯端末装置１００の姿勢としての傾き、方角、向き（例えば、縦又は横など）などを検出することができる。また、センサ部１２は、携帯端末装置１００の動きとしての回転方向、振動量、移動方向などを検出することができる。センサ部１２は、検出した物理量を制御部１１へ出力する。
【００２３】
通信部１４は、非接触通信及び近距離無線通信などの機能を有し、送信部としての機能を有する。通信部１４は、制御部１１の制御の下、センサ部１２で検出して得られた検出情報を情報処理装置２００へ送信する。
【００２４】
図２は検出情報の一例を示す説明図である。図２に示すように、検出情報は、携帯端末装置１００の傾き、方角、向き（縦又は横など）、回転方向、振動量などである。また、検出情報に携帯端末装置１００の移動方向などを含めることもできる。
【００２５】
記憶部１３は、情報処理装置２００で行う所要の処理に必要な情報を記憶することができる。所要の処理とは、例えば、ユーサが実行しようとしている操作に必要な情報、所要のアプリケーションを実行するのに必要な情報などであり、予め定められている。記憶部１３は、携帯端末装置１００から情報処理装置２００へ送信する情報、あるいは情報処理装置２００が送信した情報を記憶することができる。
【００２６】
表示部１５は、例えば、液晶表示パネルを備え、情報を表示することができる。
【００２７】
制御部２１は、ＣＰＵ等で構成され、情報処理装置２００全体を制御する。
【００２８】
通信部２２は、非接触通信及び近距離無線通信などの機能を有し、受信部としての機能を有する。通信部２２は、携帯端末装置１００が送信した検出情報を受信し、受信した検出情報を特定部２３へ出力する。
【００２９】
特定部２３は、通信部２２で受信した検出情報に応じて、携帯端末装置１００へ送信する送信情報又は携帯端末装置１００から受信する受信情報を特定する。送信情報又は受信情報は、例えば、文書ファイル、画像ファイル、アドレス（例えば、ＷＥＢアドレス、電子メールアドレス、ネットワークアドレスなど）、連絡先などの情報である。
【００３０】
これにより、情報処理装置２００から携帯端末装置１００へ情報を送信する場合も、情報処理装置２００が携帯端末装置１００から情報を受信する場合も、ユーザが操作する携帯端末装置１００の姿勢又は動きに応じて情報を特定することができるので、例えば、カーソルを移動させる操作、文字を入力する操作、あるいはスイッチ等を入切する操作などが不要となり、ユーザは、単に携帯端末装置１００の姿勢又は動きを変えるだけの簡単な操作で所要の情報の送受信を行うことができ、ユーザの利便性が向上する。
【００３１】
制御部２１は、情報判定部としての機能を有し、記憶部２４を参照することにより、所要の処理に必要な情報の有無を判定する。所要の処理とは、例えば、ユーサが実行しようとしている操作に必要な情報、所要のアプリケーションを実行するのに必要な情報などであり、予め定められている。情報の有無の判定とは、情報処理装置２００が、当該必要な情報を記憶（保有）しているか否かを判定することである。
【００３２】
また、制御部２１は、要求部としての機能を有し、必要な情報を記憶部２４に記憶していない（保有していない）と判定した場合、選択情報を特定するための保有情報（特定情報）を携帯端末装置１００へ要求する。
【００３３】
図３は保有情報の一例を示す説明図である。保有情報（「特定情報」とも称する）は、選択情報を特定するための情報であり、選択情報として用いることができる情報である。特定情報は、例えば、フォルダ名、ファイル名、アドレス、連絡先、選択肢数などを含む。
【００３４】
図４は情報の保有場所の一例を示す説明図である。図４に示すように、情報処理装置２００で実行することができるアプリケーション毎に、アプリケーションで使用する情報の種類、当該情報の保有場所を対応付けて記憶部２４に予め記憶してある。
【００３５】
例えば、ユーザが実行する処理がアプリケーションＧ（アプリＧ）である場合、処理に必要な情報の種類はファイルであり、アプリＧに必要な情報の保有場所は、携帯端末装置１００である。情報がファイルである場合、ファイルを選択するための選択情報（保有情報、特定情報）はファイル名とすることができる。
【００３６】
同様に、ユーザが実行する処理がアプリケーションＨ（アプリＨ）である場合、処理に必要な情報の種類はアドレスであり、アプリＨに必要な情報の保有場所は、情報処理装置２００である。情報がアドレスである場合、アドレスを選択するための選択情報（保有情報、特定情報）はアドレス自身とすることができる。
【００３７】
同様に、ユーザが実行する処理がアプリケーションＩ（アプリＩ）である場合、処理に必要な情報の種類はファイルであり、アプリＩに必要な情報の保有場所は、情報処理装置２００である。情報がファイルである場合、ファイルを選択するための選択情報（保有情報、特定情報）はファイル名とすることができる。
【００３８】
表示部２５は、例えば、液晶表示パネルを備え、情報を表示することができる。
【００３９】
表示部２５は、制御部２１の制御の下、複数の情報にそれぞれ対応する複数の選択情報を表示する。例えば、情報がファイルである場合、選択情報は、ファイルを選択するためのファイル名である。すなわち、表示部２５は、複数の情報を選択するための複数の選択情報を含むメニュー情報を表示することができる。
【００４０】
図５は選択情報を含むメニュー情報の表示の第１実施例を示す説明図である。図５に示すように、表示部２５は、選択情報であるファイル名として、ファイルＡからファイルＥまでの５つのファイル名を横方向に並べて配置して表示する。図５の例では、メニュー情報は、５つのファイル名を選択可能に表示した情報である。選択部２６は、検出情報に応じて表示部２５に表示された複数の選択情報の中から一の選択情報を選択する。例えばユーザが携帯端末装置１００を手に持って右方向に傾けた場合、図５に例示する５つのファイル名が右方向に向かって順番に選択される。図５の例では、ファイルＢの表示態様を他のファイル名のものと異ならせることにより、ファイルＢが選択されていることを示す。また、同様に、ユーザが携帯端末装置１００を手に持って左方向に傾けた場合、図５に例示する５つのファイル名が左方向に向かって順番に選択される。
【００４１】
図６は選択情報を含むメニュー情報の表示の第２実施例を示す説明図である。図６に示すように、表示部２５は、選択情報であるファイル名として、ファイルＡからファイルＥまでの５つのファイル名を縦方向に並べて配置して表示する。この場合、例えばユーザが携帯端末装置１００を手に持って上方向に動かした場合、図６に例示する５つのファイル名が上方向に向かって順番に選択される。図６の例では、ファイルＣの表示態様を他のファイル名のものと異ならせることにより、ファイルＣが選択されていることを示す。同様に、ユーザが携帯端末装置１００を手に持って下方向に動かした場合、図６に例示する５つのファイル名が下方向に向かって順番に選択される。なお、選択情報を含むメニュー情報の表示例は、図５及び図６の例に限定されるものではない。
【００４２】
このように、選択部２６は、携帯端末装置１００の姿勢又は動きに応じて、表示された複数の選択情報を選択する動作に変換することができる。
【００４３】
そして、特定部２３は、選択部２６で選択した選択情報に対応する情報を送信情報又は受信情報として特定する。これにより、ユーザは、携帯端末装置１００の姿勢又は動きを変えることにより、表示された複数の選択情報の中から所要の選択情報を選択すると、選択した選択情報に対応する情報を携帯端末装置１００へ送信すること、あるいは携帯端末装置１００から受信することができる。これにより、簡単な操作で所要の情報を選択することができるとともに、選択した情報を送信又は受信することができる。
【００４４】
また、前述のように、制御部２１が、必要な情報を記憶部２４に記憶していない（保有していない）と判定し、保有情報（特定情報）を携帯端末装置１００へ要求した場合、携帯端末装置１００は、予め記憶部１３に記憶（保有）した特定情報を情報処理装置２００へ送信する。そして、情報処理装置２００は、携帯端末装置１００が送信した特定情報に基づいて表示部２５に選択情報を表示する。
【００４５】
情報処理装置２００は、例えば、携帯端末装置１００から受信した特定情報を選択情報として表示部２５に表示することができる。図５及び図６に例示したように、例えば、情報処理装置２００は、特定情報として、複数のファイル名を受信した場合、受信した複数のファイル名を選択情報として表示することができる。ユーザが、携帯端末装置１００を手に持って姿勢を変更し、あるいは動かした場合、当該姿勢又は動きに応じて所望の選択情報を選択することができる。特定部２３は、選択部２６で選択した選択情報に対応する情報を受信情報として特定する。これにより、ユーザは、所要の処理を行う場合に、情報処理装置２００が保有していない情報であっても、携帯端末装置１００の姿勢又は動きを変えることにより、表示された複数の選択情報の中から所要の選択情報を選択すると、選択した選択情報に対応する情報を携帯端末装置１００から受信することができる。
【００４６】
また、制御部２１が、必要な情報を記憶部２４に記憶している（保有している）と判定した場合、情報処理装置２００は、特定情報を携帯端末装置１００へ要求することなく表示部２５に選択情報を表示する。すなわち、情報処理装置２００が、所要の処理に必要な情報を予め記憶部２４に記憶（保有）している場合には、自身が保有する特定情報を選択情報として表示する。ユーザが、携帯端末装置１００を手に持って姿勢を変更し、あるいは動かした場合、当該姿勢又は動きに応じて所望の選択情報を選択することができる。特定部２３は、選択部２６で選択した選択情報に対応する情報を送信情報として特定する。
【００４７】
これにより、ユーザは、所要の処理を行う場合に、携帯端末装置１００が保有していない情報であっても、携帯端末装置１００の姿勢又は動きを変えることにより、表示された複数の選択情報の中から所要の選択情報を選択すると、選択した選択情報に対応する情報を携帯端末装置１００へ送信することができる。
【００４８】
次に、第１実施形態の情報処理システムの動作について説明する。図７及び図８は第１実施形態の情報処理装置２００の処理手順の一例を示すフローチャートである。以下では便宜上、処理の主体を制御部２１として説明する。
【００４９】
制御部２１は、ＮＦＣ検出したか否かを判定する（Ｓ１１）。ユーザが携帯端末装置１００を情報処理装置２００に近づけることにより、制御部２１はＮＦＣ検出することができる。ＮＦＣ検出していない場合（Ｓ１１でＮＯ）、制御部２１は、ステップＳ１１の処理を続ける。
【００５０】
ＮＦＣ検出した場合（Ｓ１１でＹＥＳ）、制御部２１は、ブルートゥースなどの近距離無線通信を行うための設定情報を送信する（Ｓ１２）。制御部２１は、通信確立を検出したか否かを判定し（Ｓ１３）、通信確立を検出していない場合（Ｓ１３でＮＯ）、ステップＳ１３の処理を続ける。なお、近距離無線通信を確立することにより、ユーザは携帯端末装置１００を常に情報処理装置２００に近づけておく必要がなく、近距離無線通信を行うことができる程度に情報処理装置２００から離れることができ、ユーザの利便性が向上する。
【００５１】
通信確立を検出した場合（Ｓ１３でＹＥＳ）、制御部２１は、実行する操作に必要な情報の種類と保有場所を記憶部２４から読み出し（Ｓ１４）、保有情報の送信を携帯端末装置１００に要求するか否かを判定する（Ｓ１５）。情報処理装置２００が所要の保有情報を記憶している場合には、保有情報の要求を行う必要はなく、情報処理装置２００が所要の保有情報を記憶していない場合には、保有情報の要求を行う必要がある。
【００５２】
保有情報の送信を要求する場合（Ｓ１５でＹＥＳ）、制御部２１は、保有情報の要求を携帯端末装置１００へ送信し（Ｓ１６）、携帯端末装置１００が送信した保有情報を受信する（Ｓ１７）。保有情報の送信を要求しない場合（Ｓ１５でＮＯ）、制御部２１は、ステップＳ１６、Ｓ１７の処理を行うことなく後述のステップＳ１８の処理を行う。
【００５３】
制御部２１は、保有情報を選択メニュー（メニュー情報）として表示し（Ｓ１８）、携帯端末装置１００へ選択操作開始を通知する（Ｓ１９）。なお、選択操作開始の通知は携帯端末装置１００の表示部１５に表示され、ユーザは選択操作を行うことができることを認識することができる。これにより、ユーザは携帯端末装置１００を手に持って姿勢を変更し、あるいは動かすことにより、選択メニューの中から所望の保有情報（特定情報）を選択することができる。
【００５４】
制御部２１は、選択操作に対応する検出情報を受信したか否かを判定し（Ｓ２０）、検出情報を受信していない場合（Ｓ２０でＮＯ）、ステップＳ２０の処理を続ける。検出情報を受信した場合（Ｓ２０でＹＥＳ）、制御部２１は、図５及び図６に例示した如く、受信した検出情報を選択メニューに反映する（Ｓ２１）。この場合、制御部２１は、受信した検出情報の中で、変化量（または数値）が大きいものを携帯端末装置１００の姿勢又は動きとして特定する。例えば、検出情報として、向きに関する物理量と傾きに関する物理量が得られた場合に、向きに関する物理量の方が、傾きに関する物理量よりも大きい場合には、携帯端末装置１００の向きが変化したものと特定することができる。
【００５５】
制御部２１は、選択が確定したか否かを判定する（Ｓ２２）。なお、選択が確定したか否かの判定は、携帯端末装置１００での操作を予め決めておき、当該操作が行われた否かにより行うことができる。例えば、携帯端末装置１００を軽く１回振る操作などとすることができる。
【００５６】
選択が確定していない場合（Ｓ２２でＮＯ）、制御部２１は、ステップＳ２０以降の処理を繰り返す。選択が確定した場合（Ｓ２２でＹＥＳ）、制御部２１は、選択された情報は携帯端末装置１００に記憶されているか否かを判定する（Ｓ２３）。情報処理装置２００が所要の保有情報を記憶している場合には、選択された情報は携帯端末装置１００に記憶されていないと判定することができ、情報処理装置２００が所要の保有情報を記憶していない場合には、選択された情報は携帯端末装置１００に記憶されていると判定することができる。
【００５７】
選択された情報が携帯端末装置１００に記憶されている場合（Ｓ２３でＹＥＳ）、制御部２１は、選択された情報を送信するように携帯端末装置１００へ要求し（Ｓ２４）、携帯端末装置１００が送信した、選択された情報を受信し（Ｓ２５）、処理を終了する。選択された情報が携帯端末装置１００に記憶されていない場合（Ｓ２３でＮＯ）、すなわち選択された情報が情報処理装置２００に記憶されている場合、制御部２１は、選択された情報を携帯端末装置へ送信し（Ｓ２６）、処理を終了する。
【００５８】
図９及び図１０は第１実施形態の携帯端末装置１００の処理手順の一例を示すフローチャートである。以下では便宜上、処理の主体を制御部１１として説明する。図９及び図１０に示す処理は、図７及び図８に示す処理に対応するものである。
【００５９】
制御部１１は、情報処理装置２００から通信設定情報を受信したか否かを判定し（Ｓ３１）、通信設定情報を受信していない場合（Ｓ３１でＮＯ）、ステップＳ３１の処理を続ける。通信設定情報を受信した場合（Ｓ３１でＹＥＳ）、制御部１１は、通信の設定及び確立を行い（Ｓ３２）、情報処理装置２００から保有情報の要求があったか否かを判定する（Ｓ３３）。
【００６０】
保有情報の要求があった場合（Ｓ３３でＹＥＳ）、制御部１１は、予め記憶部１３に記憶してある保有情報を情報処理装置２００へ送信する（Ｓ３４）。保有情報の要求がない場合（Ｓ３３でＮＯ）、制御部１１は、ステップＳ３４の処理を行うことなく、後述のステップＳ３５の処理を行う。
【００６１】
制御部１１は、選択操作開始の通知の有無を判定し（Ｓ３５）、選択操作開始の通知があった場合（Ｓ３５でＹＥＳ）、センサ部１２で所定の物理量（例えば、携帯端末装置１００の傾き、方角、向き、回転方向、振動量、移動方向など）の検出を開始する（Ｓ３６）。ユーザが携帯端末装置１００を手に持って姿勢を変え、あるいは動かすことによりセンサ部１２は所定の物理量を検出することができる。制御部１１は、センサ部１２で検出して得られた検出情報を情報処理装置２００へ送信する（Ｓ３７）。
【００６２】
制御部１１は、選択操作終了の通知の有無を判定する（Ｓ３８）。なお、選択操作終了の通知は、情報処理装置２００で選択が確定した場合に、選択確定を通知することにより行うことができる。なお、複数の選択肢を選択する場合には、選択操作終了の通知は、選択確定と異なる操作を用いて通知すればよい。
【００６３】
選択操作終了の通知がない場合（Ｓ３８でＮＯ）、制御部１１は、ステップＳ３７以降の処理を続ける。選択操作終了の通知がある場合（Ｓ３８でＹＥＳ）、制御部１１は、情報処理装置２００から情報の要求があるか否かを判定する（Ｓ３９）。また、ステップＳ３５において、選択操作開始の通知がない場合（Ｓ３５でＮＯ）、制御部１１は、ステップＳ３９の処理を行う。
【００６４】
情報の要求がある場合（Ｓ３９でＹＥＳ）、制御部１１は、要求された情報を情報処理装置２００へ送信し（Ｓ４０）、処理を終了する。情報の要求がない場合（Ｓ３９でＮＯ）、制御部１１は、情報処理装置２００から情報の送信の有無を判定し（Ｓ４１）、情報の送信がない場合（Ｓ４１でＮＯ）、ステップＳ４１の処理を繰り返す。情報の送信がある場合（Ｓ４１でＹＥＳ）、制御部１１は、送信された情報を受信し（Ｓ４２）、処理を終了する。
【００６５】
（第２実施形態）
図１１は第２実施形態の情報処理装置２１０の構成の一例を示すブロック図である。第１実施形態の情報処理装置２００との相違点は、第２実施形態の情報処理装置２１０は、表示部３１、タッチパネル３２、位置検出部３３、表示判定部３４、種別特定部３５などを具備する点である。携帯端末装置１００は第１実施形態と同様である。また、第１実施形態と同様の箇所は同一符号を付して説明を省略する。
【００６６】
種別特定部３５は、通信部２２で受信した検出情報に応じて送信情報の種別を特定する。例えば、情報の種別として、文書ファイルと画像ファイルとに分けた場合、携帯端末装置１００の姿勢又は動きのうち、異なる姿勢又は動きそれぞれに対応付けて文章ファイルと画像ファイルとを定めておく。例えば、携帯端末装置１００を横向きに傾けた場合には画像ファイルを対応付け、携帯端末装置１００を縦向きにした場合には文書ファイルを対応付けておくことができる。これにより、ユーザは、携帯端末装置１００の姿勢又は動きを変えることにより、簡単な操作で送信する情報の内容を変えることができる。
【００６７】
表示部３１及びタッチパネル３２は、表示画面上で携帯端末装置１００が接触した位置を検出可能にしてある。表示部３１及びタッチパネル３２は、例えば、タッチパネルを備えた液晶表示パネルでもよく、表示画面の周囲に発光部と受光部とを配置したタッチパネル装置でもよい。
【００６８】
表示判定部３４は、携帯端末装置１００が接触した位置に、携帯端末装置１００へ送信すべき情報が表示されているか否かを判定する。そして、種別特定部３５は、表示判定部３４で情報が表示されていると判定した場合、送信情報の種別を特定することができる。
【００６９】
すなわち、ユーザが携帯端末装置１００を持って、情報処理装置２１０の表示画面上に表示されている情報の位置に携帯端末装置１００を接触させるという簡単な操作を行うだけで、携帯端末装置１００の姿勢又は動きに応じて種別の異なる情報を携帯端末装置１００へ送信することができる。
【００７０】
次に、第２実施形態の情報処理システムの動作について説明する。図１２及び図１３は第２実施形態の情報処理装置２１０の処理手順の一例を示すフローチャートである。以下では便宜上、処理の主体を制御部２１として説明する。
【００７１】
制御部２１は、ＮＦＣ検出したか否かを判定する（Ｓ５１）。ユーザが携帯端末装置１００を情報処理装置２１０に近づけることにより、制御部２１はＮＦＣ検出することができる。ＮＦＣ検出していない場合（Ｓ５１でＮＯ）、制御部２１は、ステップＳ５１の処理を続ける。
【００７２】
ＮＦＣ検出した場合（Ｓ５１でＹＥＳ）、制御部２１は、ブルートゥースなどの近距離無線通信を行うための設定情報を送信する（Ｓ５２）。制御部２１は、通信確立を検出したか否かを判定し（Ｓ５３）、通信確立を検出していない場合（Ｓ５３でＮＯ）、ステップＳ５３の処理を続ける。
【００７３】
通信確立を検出した場合（Ｓ５３でＹＥＳ）、制御部２１は、表示画面に携帯端末装置１００が接触したか否かを判定する（Ｓ５４）。なお、接触状態を判定する構成に限定されるものではなく、近接状態を判定するようにしてもよい。携帯端末装置１００が表示画面に接触していない場合（Ｓ５４でＮＯ）、制御部２１は、ステップＳ５４の処理を続ける。
【００７４】
携帯端末装置１００が表示画面に接触した場合（Ｓ５４でＹＥＳ）、制御部２１は、検出情報の要求を携帯端末装置１００へ送信し（Ｓ５５）、携帯端末装置１００が送信した検出情報を受信する（Ｓ５６）。
【００７５】
制御部２１は、表示画面上の携帯端末装置１００が接触した位置を検出する（Ｓ５７）。制御部２１は、検出した表示画面上の位置に表示中の情報があるか否かを判定する（Ｓ５８）。検出位置に表示中の情報がない場合（Ｓ５８でＮＯ）、制御部２１は、ステップＳ５４以降の処理を行う。
【００７６】
検出位置に表示中の情報がある場合（Ｓ５８でＹＥＳ）、制御部２１は、携帯端末装置１００の向きを判定し（Ｓ５９）、携帯端末装置１００が横向きである場合（Ｓ５９で横）、表示中の情報のうち、画像（画像ファイル）を携帯端末装置１００へ送信し（Ｓ６０）、処理を終了する。携帯端末装置１００が縦向きである場合（Ｓ５９で縦）、表示中の情報のうち、ファイル（文書ファイル）を携帯端末装置１００へ送信し（Ｓ６１）、処理を終了する。
【００７７】
図１４は第２実施形態の携帯端末装置１００の処理手順の一例を示すフローチャートである。以下では便宜上、処理の主体を制御部１１として説明する。図１４に示す処理は図１２及び図１３に示す処理に対応するものである。
【００７８】
制御部１１は、情報処理装置２１０から通信設定情報を受信したか否かを判定し（Ｓ７１）、通信設定情報を受信していない場合（Ｓ７１でＮＯ）、ステップＳ７１の処理を続ける。通信設定情報を受信した場合（Ｓ７１でＹＥＳ）、制御部１１は、通信の設定及び確立を行い（Ｓ７２）、情報処理装置２１０から検出情報の要求があったか否かを判定する（Ｓ７３）。
【００７９】
検出情報の要求がない場合（Ｓ７３でＮＯ）、制御部１１は、ステップＳ７３の処理を続ける。検出情報の要求がある場合（Ｓ７３でＹＥＳ）、制御部１１は、計時を開始し（Ｓ７４）、センサ部１２で所定の物理量（例えば、携帯端末装置１００の向き）の検出を開始する（Ｓ７５）。制御部１１は、センサ部１２で検出して得られた検出情報を情報処理装置２００へ送信する（Ｓ７６）。
【００８０】
制御部１１は、画像（画像ファイル）又はファイル（文書ファイル）を受信したか否かを判定し（Ｓ７７）、受信した場合（Ｓ７７でＹＥＳ）、受信した画像又はファイルを記憶部２４に記憶し（Ｓ７８）、処理を終了する。
【００８１】
画像又はファイルを受信していない場合（Ｓ７７でＮＯ）、制御部１１は、計時を開始した時点から所定時間経過したか否かを判定し（Ｓ７９）、所定時間経過していない場合（Ｓ７９でＮＯ）、ステップＳ７７以降の処理を行い、所定時間経過した場合（Ｓ７９でＹＥＳ）、処理を終了する。
【００８２】
（第３実施形態）
図１５は第３実施形態の情報処理装置２２０の構成の一例を示すブロック図である。第２実施形態の情報処理装置２１０との相違点は、第３実施形態の情報処理装置２２０は種別判定部３５に代えて切替部３６を具備する点である。携帯端末装置１００は第２実施形態と同様である。また、第２実施形態と同様の箇所は同一符号を付して説明を省略する。
【００８３】
切替部３６は、通信部２２で受信した検出情報に応じて、送信情報を送信するか、あるいは受信情報を受信するかを切り替える。携帯端末装置１００の姿勢又は動きのうち異なる姿勢又は動きそれぞれに対応付けて、送信情報を送信するか、あるいは受信情報を受信するかを予め定めておく。例えば、携帯端末装置１００を横向きに傾けた場合には、情報処理装置２２０から携帯端末装置１００へ送信情報を送信し、携帯端末装置１００を縦向きにした場合には、携帯端末装置１００から受信情報を受信するようにしておくことができる。これにより、ユーザは、携帯端末装置１００の姿勢又は動きを変えるという簡単な操作で情報の送信又は受信を切り替えることができる。
【００８４】
制御部２１は、切替部３６で送信情報を送信すべく切り替えた場合、携帯端末装置１００が接触した表示画面上の位置に表示した情報を送信情報として送信すべく制御する。すなわち、ユーザが携帯端末装置１００を持って、表示画面上に表示されている情報の位置に携帯端末装置１００を接触させるという簡単な操作だけで、情報処理装置２２０が保有している情報を携帯端末装置１００へ送信することができる。
【００８５】
また、制御部２１は、切替部３６で受信情報を受信すべく切り替えた場合、携帯端末装置１００が接触した表示画面上の位置に受信情報を表示すべく制御する。すなわち、ユーザが携帯端末装置１００を持って、表示画面上に携帯端末装置１００を接触させるという簡単な操作だけで、情報処理装置２２０は、携帯端末装置１００が保有している情報を受信することができ、さらに受信した情報を携帯端末装置１００が接触している表示画面上の位置で表示させることができる。
【００８６】
次に、第３実施形態の情報処理システムの動作について説明する。図１６及び図１７は第３実施形態の情報処理装置２２０の処理手順の一例を示すフローチャートである。以下では便宜上、処理の主体を制御部２１として説明する。
【００８７】
制御部２１は、ＮＦＣ検出したか否かを判定する（Ｓ９１）。ユーザが携帯端末装置１００を情報処理装置２２０に近づけることにより、制御部２１はＮＦＣ検出することができる。ＮＦＣ検出していない場合（Ｓ９１でＮＯ）、制御部２１は、ステップＳ９１の処理を続ける。
【００８８】
ＮＦＣ検出した場合（Ｓ９１でＹＥＳ）、制御部２１は、ブルートゥースなどの近距離無線通信を行うための設定情報を送信する（Ｓ９２）。制御部２１は、通信確立を検出したか否かを判定し（Ｓ９３）、通信確立を検出していない場合（Ｓ９３でＮＯ）、ステップＳ９３の処理を続ける。
【００８９】
通信確立を検出した場合（Ｓ９３でＹＥＳ）、制御部２１は、表示画面に携帯端末装置１００が接触したか否かを判定する（Ｓ９４）。なお、接触状態を判定する構成に限定されるものではなく、近接状態を判定するようにしてもよい。携帯端末装置１００が表示画面に接触していない場合（Ｓ９４でＮＯ）、制御部２１は、ステップＳ９４の処理を続ける。
【００９０】
携帯端末装置１００が表示画面に接触した場合（Ｓ９４でＹＥＳ）、制御部２１は、計時を開始し（Ｓ９５）、検出情報の要求を携帯端末装置１００へ送信し（Ｓ９６）、携帯端末装置１００が送信した検出情報を受信する（Ｓ９７）。
【００９１】
制御部２１は、表示画面上の携帯端末装置１００が接触した位置を検出する（Ｓ９８）。制御部２１は、受信した検出情報に基づいて携帯端末装置１００の向きを判定する（Ｓ９９）。携帯端末装置１００の向きが横向きである場合（Ｓ９９で横）、制御部２１は検出した表示画面上の位置に表示中の情報があるか否かを判定する（Ｓ１００）。
【００９２】
検出位置に表示中の画像がある場合（Ｓ１００でＹＥＳ）、制御部２１は、表示中の画像を携帯端末装置１００へ送信し（Ｓ１０１）、処理を終了する。検出位置に表示中の画像がない場合（Ｓ１００でＮＯ）、制御部２１は、ステップＳ１０１の処理を行うことなく処理を終了する。
【００９３】
携帯端末装置１００の向きが縦向きである場合（Ｓ９９で縦）、制御部２１は、携帯端末装置１００から画像を受信したか否かを判定し（Ｓ１０２）、画像を受信した場合（Ｓ１０２でＹＥＳ）、検出位置に受信した画像を表示し（Ｓ１０３）、処理を終了する。
【００９４】
画像を受信していない場合（Ｓ１０２でＮＯ）、制御部２１は、計時を開始した時点から所定時間経過したか否かを判定する（Ｓ１０４）。所定時間経過していない場合（Ｓ１０４でＮＯ）、制御部２１は、ステップＳ１０２以降の処理を行い、所定時間経過した場合（Ｓ１０４でＹＥＳ）、処理を終了する。
【００９５】
図１８は第３実施形態の携帯端末装置１００の処理手順の一例を示すフローチャートである。以下では便宜上、処理の主体を制御部１１として説明する。図１８に示す処理は図１６及び図１７に示す処理に対応するものである。
【００９６】
制御部１１は、情報処理装置２２０から通信設定情報を受信したか否かを判定し（Ｓ１１０）、通信設定情報を受信していない場合（Ｓ１１０でＮＯ）、ステップＳ１１０の処理を続ける。通信設定情報を受信した場合（Ｓ１１０でＹＥＳ）、制御部１１は、通信の設定及び確立を行い（Ｓ１１１）、情報処理装置２２０から検出情報の要求があったか否かを判定する（Ｓ１１２）。
【００９７】
検出情報の要求がない場合（Ｓ１１２でＮＯ）、制御部１１は、ステップＳ１１２の処理を続ける。検出情報の要求がある場合（Ｓ１１２でＹＥＳ）、制御部１１は、計時を開始し（Ｓ１１３）、センサ部１２で所定の物理量（例えば、携帯端末装置１００の向き）の検出を開始する（Ｓ１１４）。制御部１１は、センサ部１２で検出して得られた検出情報を情報処理装置２００へ送信する（Ｓ１１５）。
【００９８】
制御部１１は、携帯端末装置１００の向きを判定し（Ｓ１１６）、縦向きである場合（Ｓ１１６で縦）、予め特定した画像を情報処理装置２００へ送信し（Ｓ１１７）、処理を終了する。携帯端末装置１００の向きが横向きである場合（Ｓ１１６で横）、制御部１１は、情報処理装置２２０から画像を受信したか否かを判定する（Ｓ１１８）。
【００９９】
画像を受信した場合（Ｓ１１８でＹＥＳ）、制御部１１は、受信した画像を記憶部１３に記憶し（Ｓ１１９）、処理を終了する。情報処理装置２２０から画像を受信していない場合（Ｓ１１８でＮＯ）、制御部１１は、計時を開始した時点から所定時間経過したか否かを判定し（Ｓ１２０）、所定時間経過していない場合（Ｓ１２０でＮＯ）、ステップＳ１１８以降の処理を行い、所定時間経過した場合（Ｓ１２０でＹＥＳ）、処理を終了する。
【０１００】
図１９は第３実施形態の情報処理システムでの情報の授受の一例を示す模式図である。図１９に示すように、情報処理システムは、情報処理装置２２０ａ、２２０ｂ及び携帯端末装置１００などを有する。情報処理装置２２０ａ、２２０ｂは、お互いに離れているとする。図１９Ａに示すように、情報処理装置２２０ａの表示画面３１ａに符号Ｘで示す画像が表示されているとする。なお、表示される情報は画像Ｘに限定されるものではない。
【０１０１】
図１９Ｂに示すように、ユーザが表示画面３１ａの画像Ｘが表示されている位置に対して携帯端末装置１００の向きを横向きにして携帯端末装置１００を接触した場合、情報処理装置２２０ａは、表示中の画像Ｘを携帯端末装置１００へ送信する。携帯端末装置１００は、画像Ｘを記憶する。なお、画像Ｘを携帯端末装置１００へ移動させるようにしてもよく、あるいは複写（コピー）するようにしてもよい。
【０１０２】
次に、図１９Ｃに示すように、ユーザが携帯端末装置１００を持って情報処理装置２２０ｂの方へ移動し、図１９Ｄに示すように、情報処理装置２２０ｂの表示画面に対して携帯端末装置１００の向きを縦向きにして接触させると、携帯端末装置１００は、記憶した画像Ｘを情報処理装置２２０ｂへ送信する。情報処理装置２２０ｂは、画像Ｘを受信するとともに、受信した画像Ｘを表示画面３１ｂの携帯端末装置１００が接触した位置に表示する。
【０１０３】
上述のように、第１乃至第３実施形態によれば、携帯端末装置１００を情報処理装置の近くでかざすことにより、携帯端末装置１００が記憶する情報を情報処理装置へ送信すること、あるいは情報処理装置が記憶する情報を携帯端末装置１００へ送信することができる。また、送受信する情報の種類、選択操作を、携帯端末装置１００のかざし方（例えば向きなど）により簡単に行うことができる。
【０１０４】
本実施の形態の情報処理システムは、近距離通信により双方向に情報の送受信を行うことができる携帯端末装置（１００）及び情報処理装置（２００）を備える情報処理システムにおいて、前記携帯端末装置は、自身の姿勢又は動きに関する物理量を検出する検出部（１２）と、該検出部で検出して得られた検出情報を前記情報処理装置へ送信する送信部（１４）とを備え、前記情報処理装置は、前記検出情報を受信する受信部（２２）と、該受信部で受信した検出情報に応じて、前記携帯端末装置へ送信する送信情報又は該携帯端末装置から受信する受信情報を特定する特定部（２３）とを備えることを特徴とする。
【０１０５】
本実施の形態の情報処理装置（２００）は、近距離通信により携帯端末装置（１００）との間で双方向の情報の送受信を行うことができる情報処理装置において、前記携帯端末装置の姿勢又は動きに関する検出情報を受信する受信部（２２）と、該受信部で受信した検出情報に応じて、前記携帯端末装置へ送信する送信情報又は該携帯端末装置から受信する受信情報を特定する特定部（２３）とを備えることを特徴とする。
【０１０６】
本実施の形態にあっては、ユーザが携帯端末装置（１００）を手に持って携帯端末装置の姿勢を変え、あるいは、動かした場合、検出部（１２）は、自身の姿勢又は動きに関する物理量を検出する。検出部は、傾きセンサ、加速度センサ、地磁気センサなどを含み、携帯端末装置の姿勢として、例えば、傾き、方角、向き（例えば、縦又は横など）などを検出し、携帯端末装置の動きとして、例えば、回転方向、振動量、移動方向などを検出することができる。送信部（１４）は、検出部で検出して得られた検出情報を情報処理装置（２００）へ送信する。検出情報は、携帯端末装置の傾き、方角、向き、回転方向、振動量、移動方向などである。
【０１０７】
情報処理装置の受信部（２２）は、携帯端末装置が送信した検出情報を受信する。特定部（２３）は、受信部で受信した検出情報に応じて、携帯端末装置へ送信する送信情報又は携帯端末装置から受信する受信情報を特定する。送信情報又は受信情報は、例えば、文書ファイル、画像ファイル、アドレス（例えば、ＷＥＢアドレス、電子メールアドレス、ネットワークアドレスなど）、連絡先などの情報である。これにより、情報処理装置から携帯端末装置へ情報を送信する場合も、情報処理装置が携帯端末装置から情報を受信する場合も、携帯端末装置の姿勢又は動きに応じて情報を特定することができるので、例えば、カーソルを移動させる操作、文字を入力する操作、あるいはスイッチ等を入切する操作などが不要となり、ユーザは、単に携帯端末装置の姿勢又は動きを変えるだけの簡単な操作で所要の情報の送受信を行うことができ、ユーザの利便性が向上する。
【０１０８】
本実施の形態の情報処理システムは、前記情報処理装置（２００）は、複数の情報にそれぞれ対応する複数の選択情報を表示する表示部（２５）と、前記検出情報に応じて前記表示部に表示された前記複数の選択情報の中から一の選択情報を選択する選択部（２６）とを備え、前記特定部（２３）は、前記選択部で選択した選択情報に対応する情報を前記送信情報又は受信情報として特定するようにしてあることを特徴とする。
【０１０９】
本実施の形態にあっては、表示部（２５）は、複数の情報にそれぞれ対応する複数の選択情報を表示する。例えば、情報がファイルである場合、選択情報は、ファイルを選択するためのファイル名である。すなわち、表示部は、複数の情報を選択するための複数の選択情報を含むメニュー情報を表示することができる。選択部（２６）は、検出情報に応じて表示部に表示された複数の選択情報の中から一の選択情報を選択する。すなわち、選択部は、携帯端末装置の姿勢又は動きに応じて、表示された複数の選択情報を選択する動作に変換することができる。
【０１１０】
特定部は、選択部で選択した選択情報に対応する情報を送信情報又は受信情報として特定する。これにより、ユーザは、携帯端末装置の姿勢又は動きを変えることにより、表示された複数の選択情報の中から所要の選択情報を選択すると、選択した選択情報に対応する情報を携帯端末装置へ送信すること、あるいは携帯端末装置から受信することができる。これにより、簡単な操作で所要の情報を選択することができるとともに、選択した情報を送信又は受信することができる。
【０１１１】
本実施の形態の情報処理システムは、前記情報処理装置（２００）は、所要の処理に必要な情報の有無を判定する情報判定部（２１）と、該情報判定部で必要な情報がないと判定した場合、前記選択情報を特定するための特定情報を前記携帯端末装置へ要求する要求部（２１）とを備え、前記携帯端末装置（１００）は、前記要求があった場合、前記特定情報を前記情報処理装置へ送信するようにしてあり、前記情報処理装置は、さらに、前記携帯端末装置が送信した前記特定情報に基づいて前記表示部に選択情報を表示するようにしてあり、前記特定部は、前記選択部で選択した選択情報に対応する情報を前記受信情報として特定するようにしてあることを特徴とする。
【０１１２】
本実施の形態にあっては、情報判定部（２１）は、所要の処理に必要な情報の有無を判定する。所要の処理とは、例えば、ユーサが実行しようとしている操作に必要な情報、所要のアプリケーションを実行するのに必要な情報などであり、予め定められている。情報の有無の判定とは、情報処理装置が、当該必要な情報を記憶（保有）しているか否かを判定することである。要求部（２１）は、情報判定部で必要な情報がないと判定した場合、選択情報を特定するための特定情報を携帯端末装置へ要求する。特定情報は、選択情報を特定するための情報であり、選択情報として用いることができる情報である。特定情報は、例えば、フォルダ名、ファイル名、メールアドレス、連絡先、選択肢数などを含む。
【０１１３】
携帯端末装置は、特定情報の要求があった場合、予め記憶（保有）した特定情報を情報処理装置へ送信する。そして、情報処理装置は、携帯端末装置が送信した特定情報に基づいて表示部に選択情報を表示する。情報処理装置は、例えば、携帯端末装置から受信した特定情報を選択情報として表示することができる。例えば、情報処理装置は、特定情報として、複数のファイル名を受信した場合、受信した複数のファイル名を選択情報として表示することができる。ユーザが、携帯端末装置を手に持って姿勢を変更し、あるいは動かした場合、当該姿勢又は動きに応じて所望の選択情報を選択することができる。特定部は、選択部で選択した選択情報に対応する情報を受信情報として特定する。これにより、ユーザは、所要の処理を行う場合に、情報処理装置が保有していない情報であっても、携帯端末装置の姿勢又は動きを変えることにより、表示された複数の選択情報の中から所要の選択情報を選択すると、選択した選択情報に対応する情報を携帯端末装置から受信することができる。
【０１１４】
本実施の形態の情報処理システムは、前記情報処理装置（２００）は、前記情報判定部（２１）で必要な情報があると判定した場合、前記表示部（２５）に選択情報を表示するようにしてあり、前記特定部（２３）は、前記選択部（２６）で選択した選択情報に対応する情報を前記送信情報として特定するようにしてあることを特徴とする。
【０１１５】
本実施の形態にあっては、情報処理装置は、情報判定部で必要な情報があると判定した場合、表示部に選択情報を表示する。すなわち、情報処理装置が、所要の処理に必要な情報を予め記憶（保有）している場合には、自身が保有する特定情報を選択情報として表示する。ユーザが、携帯端末装置を手に持って姿勢を変更し、あるいは動かした場合、当該姿勢又は動きに応じて所望の選択情報を選択することができる。特定部は、選択部で選択した選択情報に対応する情報を送信情報として特定する。これにより、ユーザは、所要の処理を行う場合に、携帯端末装置が保有していない情報であっても、携帯端末装置の姿勢又は動きを変えることにより、表示された複数の選択情報の中から所要の選択情報を選択すると、選択した選択情報に対応する情報を携帯端末装置へ送信することができる。
【０１１６】
本実施の形態の情報処理システムは、前記情報処理装置（２１０）は、前記受信部（２２）で受信した検出情報に応じて前記送信情報の種別を特定する種別特定部（３５）を備えることを特徴とする。
【０１１７】
本実施の形態にあっては、種別特定部（３５）は、受信部（２２）で受信した検出情報に応じて送信情報の種別を特定する。例えば、情報の種別として、文書ファイルと画像ファイルとに分けた場合、携帯端末装置の姿勢又は動きのうち異なる姿勢又は動きそれぞれに対応付けて文章ファイルと画像ファイルとを定めておく。例えば、携帯端末装置を横向きに傾けた場合には、画像ファイルを対応付け、携帯端末装置を縦向きにした場合には文書ファイルを対応付けておくことができる。これにより、ユーザは、携帯端末装置の姿勢又は動きを変えることにより、簡単な操作で送信する情報の内容を変えることができる。
【０１１８】
本実施の形態の情報処理システムは、前記情報処理装置（２１０）は、表示画面上で前記携帯端末装置が接触した位置を検出可能な表示部（３１、３２）と、前記接触した位置に送信すべき情報が表示されているか否かを判定する表示判定部（３４）とを備え、前記種別特定部（３５）は、前記表示判定部で情報が表示されていると判定した場合、前記種別を特定するようにしてあることを特徴とする。
【０１１９】
本実施の形態にあっては、表示部（３１、３２）は、表示画面上で携帯端末装置が接触した位置を検出可能にしてある。表示部は、例えば、タッチパネルを備えた液晶表示パネルでもよく、表示画面の周囲に発光部と受光部とを配置したタッチパネル装置でもよい。表示判定部（３４）は、携帯端末装置が接触した位置に送信すべき情報が表示されているか否かを判定する。種別特定部は、表示判定部で情報が表示されていると判定した場合、送信情報の種別を特定する。すなわち、ユーザが携帯端末装置を持って、表示画面上に表示されている情報の位置に携帯端末装置を接触させるという簡単な操作だけで、携帯端末装置の姿勢又は動きに応じて種別の異なる情報を携帯端末装置へ送信することができる。
【０１２０】
本実施の形態の情報処理システムは、前記情報処理装置（２２０）は、前記受信部（２２）で受信した検出情報に応じて前記送信情報を送信するか前記受信情報を受信するかを切り替える切替部（３６）を備えることを特徴とする。
【０１２１】
本実施の形態にあっては、切替部（３６）は、受信部（２２）で受信した検出情報に応じて、送信情報を送信するか、あるいは受信情報を受信するかを切り替える。携帯端末装置の姿勢又は動きのうち異なる姿勢又は動きそれぞれに対応付けて、送信情報を送信するか、あるいは受信情報を受信するかを予め定めておく。例えば、携帯端末装置を横向きに傾けた場合には、情報処理装置から携帯端末装置へ送信情報を送信し、携帯端末装置を縦向きにした場合には、携帯端末装置から受信情報を受信するようにしておくことができる。これにより、ユーザは、携帯端末装置の姿勢又は動きを変えることにより、簡単な操作で情報の送信又は受信を切り替えることができる。
【０１２２】
本実施の形態の情報処理システムは、前記情報処理装置（２２０）は、表示画面上で前記携帯端末装置が接触した位置を検出可能な表示部（３１、３２）と、前記切替部（３６）で送信情報を送信すべく切り替えた場合、前記携帯端末装置が接触した位置に表示した情報を前記送信情報として送信すべく制御する制御部（２１）とを備えることを特徴とする。
【０１２３】
本実施の形態にあっては、表示部（３１、３２）は、表示画面上で携帯端末装置が接触した位置を検出可能にしてある。表示部は、例えば、タッチパネルを備えた液晶表示パネルでもよく、表示画面の周囲に発光部と受光部とを配置したタッチパネル装置でもよい。制御部（２１）は、切替部（３６）で送信情報を送信すべく切り替えた場合、携帯端末装置が接触した位置に表示した情報を前信情報として送信すべく制御する。すなわち、ユーザが携帯端末装置を持って、表示画面上に表示されている情報の位置に携帯端末装置を接触させるという簡単な操作だけで、情報処理装置が保有している情報を携帯端末装置へ送信することができる。
【０１２４】
本実施の形態の情報処理システムは、前記制御部（２１）は、前記切替部（３６）で受信情報を受信すべく切り替えた場合、前記携帯端末装置が接触した位置に前記受信情報を表示すべく制御するようにしてあることを特徴とする。
【０１２５】
本実施の形態にあっては、制御部（２１）は、切替部（３６）で受信情報を受信すべく切り替えた場合、携帯端末装置が接触した位置に受信情報を表示すべく制御する。すなわち、ユーザが携帯端末装置を持って、表示画面上に携帯端末装置を接触させるという簡単な操作だけで、情報処理装置は、携帯端末装置が保有している情報を受信することができ、さらに受信した情報を携帯端末装置が接触している表示画面上の位置で表示させることができる。
【符号の説明】
【０１２６】
１００  携帯端末装置
１１  制御部
１２  センサ部
１３  記憶部
１４  通信部
１５  表示部
２００、２１０、２２０  情報処理装置
２１  制御部
２２  通信部
２３  特定部
２４  記憶部
２５  表示部
２６  選択部
３１  表示部
３２  タッチパネル
３３  位置検出部
３４  表示判定部
３５  種別特定部
３６  切替部
【図１】
2015104080.tif 000003
【図２】
2015104080.tif 000004
【図３】
2015104080.tif 000005
【図４】
2015104080.tif 000006
【図５】
2015104080.tif 000007
【図６】
2015104080.tif 000008
【図７】
2015104080.tif 000009
【図８】
2015104080.tif 000010
【図９】
2015104080.tif 000011
【図１０】
2015104080.tif 000012
【図１１】
2015104080.tif 000013
【図１２】
2015104080.tif 000014
【図１３】
2015104080.tif 000015
【図１４】
2015104080.tif 000016
【図１５】
2015104080.tif 000017
【図１６】
2015104080.tif 000018
【図１７】
2015104080.tif 000019
【図１８】
2015104080.tif 000020
【図１９】
2015104080.tif 000021